(57)【要約】【課題】汎用性の高い外部制御装置を用いて、運転チェックの際における各機器の詳細な設定を可能とし、精度の高い性能検定測定や故障診断を行う。【解決手段】本発明の運転チェック装置１は、空気調和機２側のマイコン３Ａと、これとデータ通信を行うために接続可能とされ、空気調和機２の運転状態をチェックするための運転チェックプログラムがインストールされたパソコン１０とから構築され、マイコン３Ａは、該パソコン１０が接続された状態で、チェック用プログラムを実行し、チェック時の機器の運転状態等のデータをパソコン１０に送信し、パソコン１０は、運転チェックプログラムによりマイコン３Ａのチェック用プログラムを書き換え可能とする。【選択図】図１
2011242004.tif 000002
【特許請求の範囲】
【請求項１】
空気調和機に設けられ、当該空気調和機の運転制御を行う空気調和機側制御装置と、該空気調和機側制御装置とデータ通信を行うために接続可能とされ、前記空気調和機の運転状態をチェックするための運転チェックプログラムをインストール可能な外部制御装置とから構築され、
前記空気調和機側制御装置は、前記運転チェックプログラムがインストールされた前記外部制御装置が接続された状態で、予め書き込まれたチェック用プログラムを実行し、チェック時の機器の運転制御と運転状態に関するデータを当該外部制御装置に送信すると共に、
該外部制御装置は、前記運転チェックプログラムにより前記空気調和機側制御装置のチェック用プログラムを書き換え可能とされていることを特徴とする空気調和機の運転チェック装置。
【請求項２】
前記外部制御装置により書き換え可能な前記空気調和機側制御装置のチェック用プログラムの項目は、当該チェック用プログラムで固定されるコンプレッサの運転周波数、膨張弁の開度、電磁弁の状態、及び、他の制御用パラメータのうちの何れか一つ、若しくは、複数であることを特徴とする請求項１に記載の空気調和機の運転チェック装置。
【請求項３】
前記空気調和機側制御装置から前記外部制御装置に送信されるデータは、性能検定測定及び故障診断に関するもののうちの少なくとも一つを含むことを特徴とする請求項１又は請求項２に記載の空気調和機の運転チェック装置。
【請求項４】
前記空気調和機は、前記空気調和機側制御装置を備えた室外機と該室外機の空気調和機側制御装置と室内外操作線にて接続された前記空気調和機側制御装置を備えた室内機とから成り、前記外部制御装置は、前記室内外操作線に接続されることを特徴とする請求項１乃至請求項３のうちの何れかに記載の空気調和機の運転チェック装置。
【請求項５】
前記室外機及び室内機は集中制御用のアダプタを備え、前記室外機及び室内機の前記空気調和機側制御装置は、前記アダプタを介して前記室内外操作線により接続されていることを特徴とする請求項４に記載の空気調和機の運転チェック装置。
【請求項６】
前記外部制御装置は、前記空気調和機側制御装置にＵＳＢ接続されることを特徴とする請求項１乃至請求項５のうちの何れかに記載の空気調和機の運転チェック装置。
【発明の詳細な説明】
【技術分野】
【０００１】
本発明は空気調和機の性能検定測定や故障診断を行う運転チェック装置に関する。
【背景技術】
【０００２】
従来より、空気調和機は、出荷前や設置後などにおいて、その性能検定測定や、当該空気調和機を構成する各機器、例えば、コンプレッサや、膨張弁、その他電磁弁などの故障診断が行われる（例えば特許文献１参照）。
【０００３】
この場合、空気調和機の制御装置（空気調和機側制御装置）には、運転チェック装置が搭載されており、制御装置は、通常運転モードとは異なる試運転モードに切り換えることで、運転チェック装置によって、電気系統の所望の項目を順次チェックする。このとき、コンプレッサを駆動したまま運転チェックを行う場合には、例えば、コンプレッサを所定の周波数に固定し、電気系統の所望の項目をチェックする。コンプレッサを停止したまま運転チェックを行う場合には、コンプレッサを駆動制御するリレーを強制的にＯＦＦした状態で、電気系統の所望の項目をチェックする。
【先行技術文献】
【特許文献】
【０００４】
【特許文献１】特開平７−２９３９６７号公報
【発明の概要】
【発明が解決しようとする課題】
【０００５】
上記従来の構成では、運転チェック装置は空気調和機に搭載されたものであるため、試運転モードにおいて検出されたデータを直接、汎用のパーソナルコンピュータなどにおいて管理することができない。また、試運転モードでは、コンプレッサの周波数や、電磁弁の開閉状態、膨張弁の開度などは、予め設定されたものに固定されており、任意に条件を設定したチェックを行うことができない。
【０００６】
また、制御装置に接続されたデータ表示部への表示項目も所定のものに限定されており、任意に表示を望むものについて、設置後に追加することができなかった。
【０００７】
これ以外にも、例えば、外気温度などを実際の検出値とは別に、一時的に想定されたパラメータに書き換えることで、想定した外気温度となった場合の膨張弁やコンプレッサ、その他の機器の挙動をチェックする故障診断など、具体的な条件を設定したチェックを実現することができなかった。
【０００８】
このように、各機器の性能や電気特性測定を容易に行うことができないため、精度の高い性能検定測定や、故障診断の実現が困難であった。
【０００９】
本発明は、従来の技術的課題を解決するためになされたものであり、汎用性の高い外部制御装置を用いることで、運転チェックの際における各機器の詳細な設定を可能とし、精度の高い性能検定測定や故障診断を行うことを可能とする。
【課題を解決するための手段】
【００１０】
上記課題を解決するために、本発明の運転チェック装置は、空気調和機に設けられ、当該空気調和機の運転制御を行う空気調和機側制御装置と、この空気調和機側制御装置とデータ通信を行うために接続可能とされ、空気調和機の運転状態をチェックするための運転チェックプログラムをインストール可能な外部制御装置とから構築され、空気調和機側制御装置は、運転チェックプログラムがインストールされた外部制御装置が接続された状態で、予め書き込まれたチェック用プログラムを実行し、チェック時の機器の運転制御と運転状態に関するデータを当該外部制御装置に送信すると共に、この外部制御装置は、運転チェックプログラムにより空気調和機側制御装置のチェック用プログラムを書き換え可能とされていることを特徴とする。
【００１１】
請求項２の発明は、上記発明において、外部制御装置により書き換え可能な空気調和機側制御装置のチェック用プログラムの項目は、当該チェック用プログラムで固定されるコンプレッサの運転周波数、膨張弁の開度、電磁弁の状態、及び、他の制御用パラメータのうちの何れか一つ、若しくは、複数であることを特徴とする。
【００１２】
請求項３の発明は、上記各発明において、空気調和機側制御装置から外部制御装置に送信されるデータは、性能検定測定及び故障診断に関するもののうちの少なくとも一つを含むことを特徴とする。
【００１３】
請求項４の発明は、上記各発明において、空気調和機は、空気調和機側制御装置を備えた室外機と該室外機の空気調和機側制御装置と室内外操作線にて接続された空気調和機側制御装置を備えた室内機とから成り、外部制御装置は、室内外操作線に接続されることを特徴とする。
【００１４】
請求項５の発明は、上記において、室外機及び室内機は集中制御用のアダプタを備え、室外機及び室内機の空気調和機側制御装置は、アダプタを介して室内外操作線により接続されていることを特徴とする。
【００１５】
請求項６の発明は、上記各発明において、外部制御装置は、空気調和機側制御装置にＵＳＢ接続されることを特徴とする。
【発明の効果】
【００１６】
本発明の空気調和機の運転チェック装置によれば、空気調和機に設けられ、当該空気調和機の運転制御を行う空気調和機側制御装置と、この空気調和機側制御装置とデータ通信を行うために接続可能とされ、空気調和機の運転状態をチェックするための運転チェックプログラムをインストール可能な外部制御装置とから構築され、空気調和機側制御装置は、運転チェックプログラムがインストールされた外部制御装置が接続された状態で、予め書き込まれたチェック用プログラムを実行し、チェック時の機器の運転制御と運転状態に関するデータを当該外部制御装置に送信するので、例えば、汎用のパーソナルコンピュータによりにより外部制御装置を構成して、当該パーソナルコンピュータに運転チェックプログラムをインストールし、これを対象となる空気調和機の空気調和機側制御装置に接続することで、任意にチェック用プログラムを実行させて、当該空気調和機の性能や電気特性測定を容易に行うことができる。
【００１７】
また、この外部制御装置は、運転チェックプログラムにより空気調和機側制御装置のチェック用プログラムを書き換え可能とされているので、外部制御装置を介して運転チェック時における各機器の詳細な設定を任意に行うことができる。
【００１８】
そのため、任意の条件を設定して空気調和機の運転チェックを行うことができるため、精度の高い性能検定測定や故障診断を行うことを可能となる。
【００１９】
請求項２の発明によれば、上記に加えて、外部制御装置により書き換え可能な空気調和機側制御装置のチェック用プログラムの項目は、当該チェック用プログラムで固定されるコンプレッサの運転周波数、膨張弁の開度、電磁弁の状態、及び、他の制御用パラメータのうちの何れか一つ、若しくは、複数とするため、チェック用プログラムを多様な条件に設定して、精度の高い故障診断を実現することができる。
【００２０】
請求項３の発明によれば、上記各発明に加えて、空気調和機側制御装置から外部制御装置に送信されるデータは、性能検定測定及び故障診断に関するもののうちの少なくとも一つを含むことにより、外部制御装置にて性能検定測定や故障診断に関するデータを保存や表示することが可能となる。これにより、空気調和機から離れた外部において、汎用のパーソナルコンピュータなどの外部制御装置を用いて当該空気調和機の管理が容易となる。
【００２１】
請求項４の発明によれば、上記各発明に加えて、空気調和機は、空気調和機側制御装置を備えた室外機と該室外機の空気調和機側制御装置と室内外操作線にて接続された空気調和機側制御装置を備えた室内機とから成り、外部制御装置は、室内外操作線に接続されることにより、当該室内外操作線を介して外部制御装置とのデータ通信を容易とすることができる。
【００２２】
請求項５の発明によれば、上記に加えて、室外機及び室内機は集中制御用のアダプタを備え、室外機及び室内機の空気調和機側制御装置は、アダプタを介して室内外操作線により接続されているので、当該アダプタを介して複数の室外機や室内機を相互に接続することができ、外部制御装置による集中制御を容易とすることができる。
【００２３】
請求項６の発明によれば、上記各発明に加えて、外部制御装置は、空気調和機側制御装置にＵＳＢ接続されることにより、これら接続を容易とすることができ、利便性の向上を図ることができる。
【図面の簡単な説明】
【００２４】
【図１】本発明の空気調和機の運転チェック装置の概略構成図である。
【図２】空気調和機側制御装置と外部制御装置との接続状態を示す図である。
【図３】空気調和機側制御装置のフローチャートである。
【図４】他の実施例としての空気調和機の運転チェック装置の概略構成図である。
【発明を実施するための形態】
【００２５】
以下、図面に基づき本発明の実施の形態としての空気調和機の運転チェック装置１について詳述する。図１は空気調和機の運転チェック装置１の概略構成図、図２はマイコン３Ａとパソコン１０との接続状態を示す図である。
【００２６】
本実施例における空気調和機２は、被調和室に設けられた室内機２０と、室外に設けられた室外機３０とから構成されている。空気調和機２は、運転能力可変型（周波数可変型）のコンプレッサ、冷媒の流れる方向を切り換える四方弁、暖房運転時は蒸発器として作用し、冷房運転時及び暖房運転時には凝縮器として作用する室外側熱交換器、冷媒の絞り量（流量）が制御信号に応じて任意に調整可能とする電動膨張弁、電磁弁、暖房運転時は凝縮器として作用し、冷房運転時には蒸発器として作用する室内側熱交換器等が冷媒配管にて環状に接続された冷媒回路を備える。
【００２７】
室内機２０には、上記室内側熱交換器や電動膨張弁、電磁弁、その他、送風ファンなどが配設され、室外機３０には、上記コンプレッサ、室外側熱交換器、電動膨張弁、電磁弁、その他、送風ファンなどが配設されている。
【００２８】
室内機２０及び室外機３０の何れにも、種々のデータを記憶可能な記憶部（メモリ）を備えた汎用マイクロコンピュータ（マイコン）３Ａ、３Ｂが設けられており、これらマイコン３Ａ、３Ｂは相互にデータの送受信を行い、空気調和機２の運転制御を行う。各マイコン３Ａ、３Ｂは、それぞれ室内外操作線２３でデータ通信可能に接続されており、何れも空気調和機側制御装置３を構成することが可能であるが、当該実施例では、図２に示すように室外機３０に配設されるマイコン３Ａが詳細は後述する運転チェック装置１の空気調和機側制御装置を構成する。
【００２９】
空気調和機側制御装置を構成する室外機３０のマイコン３Ａは、室外コントロール基板４に配設されており、該室外コントロール基板４上には、これ以外にも、モニタ設定部、運転／接続状態表示部、データ表示部、運転スイッチ、運転ランプ、電源ランプ、警報ランプなどが実装されている。
【００３０】
ここで、モニタ設定部には、ユニット設定スイッチやアドレス設定スイッチ、項目設定スイッチなどが設けられている。ユニット設定スイッチはデータをモニタする室内外機２０、３０の区分を選択するものであり、アドレス設定スイッチは室内外機２０、３０のアドレスを設定するものである。また、項目設定スイッチはモニタするデータ内容の項目番号を設定するものである。当該空気調和機２側でモニタ可能なデータ内容は、予め決められており、室内機２０については、室温、コイル温度、吹出温度、警報データなどであり、室外機３０については吐出温度、室外側熱交換器の冷媒温度、外気温度、コイル温度、電流値、オイルレベル、警報データなどである。
【００３１】
そのため、室外コントロール基板４側では、項目設定スイッチをモニタする項目番号に調整することで、データ表示部にモニタ項目のデータ内容が表示される。これにより、逐次、モニタ項目がそれぞれ対応するセンサ等にて検出された検出値や状況が判定可能とされる。
【００３２】
そして、この室外コントロール基板４に設けられたマイコン３Ａには、予めチェック用プログラムが書き込まれている。このチェック用プログラムとは、通常運転（通常モード）とは異なる試運転モードの一環としてその冒頭に実施される電気系統のチェックプログラムであり、後述する外部制御装置１０が接続されることによって、通常運転から試運転モードに切り替わり、これによって、所定のチェック用プログラムが実行される。
【００３３】
次に、上記マイコン３Ａ（空気調和機側制御装置３）と共に運転チェック装置１を構築する外部制御装置について説明する。外部制御装置は、空気調和機２の運転状態をチェックするための運転チェックプログラムをインストール可能とする制御装置により構成されており、本実施例では、一例として汎用のパーソナルコンピュータ（以下、パソコンと称する）１０に運転チェックプログラムをインストールすることで構成する。尚、当該外部制御装置は、当該パソコンに限定されるものではなく、プログラムをインストール可能であって、チェック用プログラムの項目を書換可能なものであれば、例えば、携帯端末などであっても良い。
【００３４】
そして、このパソコン１０と空気調和機側制御装置３（この場合マイコン３Ａ）とは、通信線１１によって着脱自在に接続される。本実施例では、当該外部制御装置と空気調和機側制御装置３との接続を容易とするため、パソコン１０に接続されたＵＳＢインターフェース１２を空気調和機側制御装置３（マイコン３Ａ）の端子１３に接続可能とする。これにより、外部制御装置と空気調和機側制御装置３とは、ＵＳＢ接続されるため、利便性の向上を図ることができる。
【００３５】
パソコン１０では、通信線１１を介して接続されたマイコン３Ａに入力された上記モニタ項目及びこれに対応するセンサ等にて検出された検出値や状況が表示部（ディスプレイ）１５に表示可能とされる。
【００３６】
また、これ以外にもマイコン３Ａのチェック用プログラムに現在設定されているチェック用の各機器の状態、即ち、コンプレッサの周波数、膨張弁の開度、電磁弁の開閉状態、外気温度などの制御用のパラメータ等を表示部１５に表示可能とする。
【００３７】
そして、パソコン１０は、インストールされている運転チェックプログラムに基づき、上述した如きマイコン３Ａのチェック用プログラムに現在設定されているチェック用の各機器の状態（チェック用プログラム）を書き換え可能とされている。
【００３８】
以上の構成により、図３のフローチャートを参照して、本実施例の運転チェック装置１による運転チェック動作について説明する。先ず初めにステップＳ１において、マイコン３Ａは、パソコン１０が接続されているか否かを判断する。ここで、パソコン１０が空気調和機２のマイコン３Ａに接続されていない場合には、運転チェック動作、即ち試運転モードを実行しないものとして、ステップＳ２に進み、通常運転モードを実行する。
【００３９】
他方、パソコン１０がマイコン３Ａに接続された場合には、マイコン３Ａは、ステップＳ１においてパソコン１０が接続されたものと判断し、ステップＳ２に進み、運転チェック動作を行う試運転モードに移行し、これに基づき、上記チェック用プログラムを実行する。
【００４０】
ここで、マイコン３Ａは、ステップＳ３において、接続されたパソコン１０で、チェック用プログラムのコンプレッサの周波数について書き換え要求があるか否かを判断する。即ち、マイコン３Ａにパソコン１０が接続される前、若しくは、接続後において、パソコン１０からチェック用プログラムのコンプレッサの周波数について書き換え要求がある場合には、ステップＳ４に進み、チェック用プログラム中のコマンドが空欄若しくは、現在の設定値が記入されている箇所にパソコン１０の運転チェックプログラムからコンプレッサの周波数を書き換える。
【００４１】
その後も、同様にパソコン１０からチェック用プログラムの膨張弁の開度について書き換え要求があるか否かを判断し（ステップＳ５）、書き換え要求がある場合には、マイコン３Ａは、チェック用プログラムの膨張弁の開度を書き換える（ステップＳ６）。これ以外にも、パソコン１０からチェック用プログラムの電磁弁の開／閉の状態について書き換え要求がある場合、その他、例えば、外気温度や吐出温度、熱交換器の冷媒温度などの制御用パラメータの内の何れか一つ、若しくは、複数について書き換え要求がある場合には、マイコン３Ａは、チェック用プログラムを書き換える。
【００４２】
その後、マイコン３Ａは、ステップＳ７に進み、チェック用プログラムを実行する。本実施例では、マイコン３Ａは、予め書き込まれたチェック用プログラム若しくは、その後、上述したようにパソコン１０によって書き換えられたチェック用プログラムに基づき、コンプレッサの周波数、膨張弁の開度、電磁弁をある値或いはある状態（電磁弁は開か閉）に固定し、他の制御用のパラメータ（例えば外気温など）をチェック用の値に変更して、チェック時の運転制御を実行する。
【００４３】
そして、マイコン３Ａは、ステップＳ８に進み、パソコン１０から検出データの送信要求があるか否かを判断し、ある場合にはステップＳ９に進んで、当該チェック用プログラムの実行時において各センサによって検出された各機器の温度や圧力、故障情報などを含む運転制御や運転状態に関するデータ（例えば、センサや電気系統が正常か否かの判定を行う故障診断データや、所定の性能検定測定データ）をパソコン１０の送信する。そして、パソコン１０では、これらデータをマイコン３Ａから取り込んで保存し、接続される表示部１５にて表示する。
【００４４】
その後、マイコン３Ａは、ステップＳ１０に進み、運転チェックプログラムを実行してから所定時間が経過したか、若しくは、パソコン１０との接続が解除されたか否かを判断し、何れにも該当しない場合には、上記ステップＳ３に戻り、以後、所定時間が経過するまで、若しくは、パソコン１０との接続が解除されるまでステップＳ３からステップＳ９を繰り返す。そして、所定時間経過後、若しくはパソコン１０との接続が解除された後、ステップＳ１１に進み、運転チェックプログラムを終了して、ステップＳ２に進み、以後、通常運転を実行する。
【００４５】
このように、当該空気調和機の運転チェック装置１では、マイコン３Ａ（空気調和機側制御装置）は、運転チェックプログラムがインストールされたパソコン（外部制御装置）１０が接続された状態で、予め書き込まれたチェック用プログラムを実行し、運転チェックプログラム実行時の各機器の運転制御と運転状態に関するデータを当該パソコン１０に送信するので、運転チェックプログラムがインストールされたパソコン１０をマイコン３Ａに接続することのみで、任意にチェック用プログラムを実行させて、当該空気調和機の性能や電気特性測定を容易に行うことができる。
【００４６】
特に、外部制御装置は、汎用のパソコンに運転チェックプログラムをインストールすることで構成することができるため、汎用性の向上を図ることができる。
【００４７】
また、この外部制御装置を構成するパソコン１０は、運転チェックプログラムによりマイコン３Ａ（空気調和機側制御装置）のチェック用プログラムを書き換え可能とされているので、パソコン１０を介して運転チェック時における各機器の詳細な設定、例えば、チェック用プログラムで固定される項目である当該コンプレッサの運転周波数、膨張弁の開度、電磁弁の状態、及び、他の制御用パラメータのうちの何れか一つ、若しくは、複数を任意に設定することができる。
【００４８】
そのため、任意の条件、例えば、現在の外気温度が＋１０℃である場合であっても、故障診断を行うことを目的として、外気温度に関するパラメータを＋３０℃と書き換えることで、外気温度が＋３０℃である場合を想定した膨張弁の開度制御やコンプレッサの運転周波数制御の運転チェックを行うことができる。そのため、多様な条件設定を可能とする故障診断や、性能検定測定を行うことができ、精度の高い運転チェックを実現することができる。
【００４９】
また、マイコン３Ａ（空気調和機側制御装置）からパソコン１０（外部制御装置）に性能検定測定及び故障診断に関するもののうちの少なくとも一つのデータを送信可能とするため、パソコン１０にて性能検定測定や故障診断に関するデータを保存や表示することができる。これにより、空気調和機２から離れた外部において、汎用のパソコン１０を用いて当該空気調和機２の管理が容易となる。
【００５０】
尚、図１では、空気調和機２を構成する室外機３０に設けられたマイコン３Ａによって空気調和機側制御装置３を構成しているが、室内機２０に設けられるマイコン３Ｂに上記と同様に外部制御装置としてのパソコン１０を接続することによって、運転チェックプログラムを実行する構成としても良い。
【００５１】
また、大型施設などでは、図４に示すように、それぞれ複数台の室内機２０と室外機３０により空気調和機を構成する。この場合、それぞれに設けられたマイコン３Ａ・・、３Ｂ・・は、それぞれ集中制御用のアダプタ（Ｓ−ＬＩＮＫ）２５を介して室内外操作線２３によりデータ通信可能に相互に接続する。
【００５２】
そして、各室内機２０又は室外機３０のマイコン３Ａ、３Ｂは、それぞれアドレス設定スイッチによってアドレスを割り付けておき、各マイコン３Ａ、３Ｂが相互に接続される室内外操作線２３、若しくは、直接何れかのマイコン３Ａ又は３Ｂに、外部制御装置としてのパソコン１０を接続する。
【００５３】
これにより、室内外操作線２３を介して、予め設定された何れかのマイコン３Ａ又は３Ｂの運転チェックプログラムに基づき、接続された全ての室内機２０や室外機３０の運転状態（各種温度や圧力など）を吸い上げ、且つ、コンプレッサの周波数や膨張弁の開度、電磁弁の開閉状態等を所望の状態に固定し、故障診断や性能検定測定を行う。
【００５４】
このように、空気調和機側制御装置としてのマイコン３Ａを備えた室外機３０と、空気調和機側制御装置としてのマイコン３Ｂを備えた室内機２０は、アダプタ２５を介して室内外操作線２３に相互に接続され、当該室内外操作線２３に外部制御装置としてのパソコン１０が接続されることで、これらのデータ通信を容易とすることができる。
【００５５】
そのため、複数の室外機３０及び室内機２０が接続される空気調和機の場合であっても、何れかの室外機３０又は室内機２０のマイコン３Ａ又は３Ｂによって集中制御する場合であっても、これらを接続する室内外操作線２３にパソコン１０を接続することで、集中して運転チェックプログラムの実行を行うことができ、また、当該プログラム実行中におけるデータを管理することができる。
【００５６】
これにより、各室外機３０や室内機２０から離れた外部においてパソコン１０を用いて空気調和機２全体の管理が容易となる。
【符号の説明】
【００５７】
１    運転チェック装置
２    空気調和機
３    空気調和機側制御装置
３Ａ、３Ｂ  マイクロコンピュータ（マイコン）
４    室外コントロール基板
１０    パーソナルコンピュータ（外部制御装置）
１１    通信線
１２    ＵＳＢインターフェース
１３    端子
１５    表示部（ディスプレイ）
２０    室内機
２３    室内外操作線
２５    アダプタ
３０    室外機
【図１】
2011242004.tif 000003
【図２】
2011242004.tif 000004
【図３】
2011242004.tif 000005
【図４】
2011242004.tif 000006